(57)【要約】【課題】ＰＣ画面操作時に、所望の薫りを発生させ良好な薫り雰囲気を創出可能とし、ストレス緩和がはかれる薫り発生ＰＣシステムを構成する。【解決手段】薫り選択機能と薫り発生指示機能をプラグラミングし、選択機能及び薫り発生指示機能の入力により出力し、ＵＳＢケーブル５を介して該薫りを発生させることのできる出力装置の薫り発生器４からなる薫り発生ＰＣシステムを構成する。  薫り発生器４は、薫りエキスの封入容器に、膜に選択的な透過性があり条件に応じて内包物を放出する特性をもつマイクロカプセルを用い、選択され発生指示された薫りエキスの封入マイクロカプセルを選び出す選択機能と放出条件の一つとしての一定温度に加熱を行う機能とを薫り発生器４内に機能構成する。  なお薫り発生時における薫り環境をユーザー近辺に構成するため、ディスプレイ２の下部又はキイボード３の所定箇所の取り付け可能とする。【選択図】図１
2006221246.tif 000002
【特許請求の範囲】
【請求項１】
プログラミングされた薫り選択機能と、薫り発生指示機能と、この薫り選択機能及び薫り発生指示機能の入力で出力し、収納する複数種の薫りエキスから選択された薫りを発生するための機能を構成する出力装置の薫り発生器と、から成ることを特徴とする薫り発生ＰＣシステム。
【請求項２】
出力装置の薫り発生器が、選択され発生指示された所要の薫りを発生させるため、薫り発生器内に設ける複数のセルにそれぞれに収納する薫りエキスの封入手段に、膜に選択的な透過性があり条件に応じて内包物を放出する特性をもつマイクロカプセルを用い、選択され発生指示された薫りエキスを封入するマイクロカプセル収納セルの選択機能と、該マイクロカプセルが封入する薫りエキスを放出するための条件機能と、を薫り発生器内に構成して成ること特徴とする請求項１記載の薫り発生ＰＣシステム。
【請求項３】
請求項２のマイクロカプセル収納セルに代わり、セル自体に薫りエキスを封入し、封入される薫りエキスの放出部が、条件に応じて内包物を放出させるマイクロカプセルと同質の高分子化合物で被膜された薫りエキス収納セルを複数構成するカートリッジを用い、このカートリッジを薫り発生器内に装着することで有する機能が可能であるようにし、選択され発生指示された薫りエキスの収納セルを選択する選択機能と、該収納セルが封入する薫りエキスを放出するための条件機能と、をカートリッジとカートリッジを装着する薫り発生器内に構成して成ることを特徴とする請求項１又は２記載の薫り発生ＰＣシステム。
【請求項４】
薫り発生器が、マイクロカプセル又はカートリッジを収納又は交換するための開閉機構を有する薫り口を設け、ディスプレイ又はキイボードに取り付け可能であることを特徴とする請求項１又は２、３記載の薫り発生ＰＣシステム。
【発明の詳細な説明】
【技術分野】
【０００１】
本発明は、プログラミングされた薫り選択機能及び薫り発生機能と、出力装置の薫り発生器と、で機能構成され、ＰＣ操作時に所望の薫り発生を可能とする薫り発生ＰＣシステムに関するものである。
【背景技術】
【０００２】
ＰＣのシステムにおいて構成する機能が、視聴覚効果については相当の配慮と表示技術の向上がなされるものであっても、その操作環境には「薫り」が存在せず、ましてや画面操作に応じて所望とする「薫り」を発生可能とするようなシステムはなかった。
【０００３】
したがって、例えばディスプレイに表示される花や果実の画像を見てイメージするユーザーの薫り感覚も、個人それぞれの嗅覚記憶の範囲内でのイマジネーションであるのが実状で、嗅覚による現実の「薫り」として体感できるものではなく、まして、ストレスを緩和させるようなアロマテラピー的癒し効果などについては、とても期待できないものである。
【特許文献１】特開平０５−１８５６８９号公報
【発明の開示】
【発明が解決しようとする課題】
【０００４】
以上のように、これまでにあっては、ＰＣ操作におけるディスプレイの表示画像については豊富な画像素材及び色調選択機能が構成されているが、これら画像や色彩に伴い現実の薫りとして体感できる薫り選択機能及び薫り発生機能手段が構成されていないという点である。
ユーザーがディスプレイと向き合うとき、バーチャルリアリティーではなく画像と共に実体感できる薫りを発生可能とすることで、ユーザー環境を和らげ、更にストレスを緩和するアロマテラピー的癒し環境を提供することにある。
【課題を解決するための手段】
【０００５】
本発明は、薫り選択機能と薫り発生指示機能とをプログラミングし、薫り選択機能及び薫り発生指示機能の入力により出力し、収納する複数の薫りエキス収納セルから選択され発生指示された薫りを発生することのできる機能を構成する薫り発生器を出力装置として設ける。
薫り発生器は、選択され発生指示された所要の薫りを発生させるため、複数のセル内にそれぞれに収納する薫りエキスの封入手段に、膜に選択的な透過性があり条件に応じて内包物を放出する特性をもつマイクロカプセルを用い、選択され発生指示された薫りエキスを封入するマイクロカプセル収納セルを選択する選択機能と、該マイクロカプセルが封入する薫りエキスを放出するための条件における一つとして一定の温度に加熱可能とする手段を採用し、前述の選択機能と共に一定の温度に加熱可能とする手段を該薫り発生器内に機能構成したことを最も主要な特徴とする。なお、この薫り発生器をディスプレイの下部又はキイボードの横縁などに取り付け可能とすることで、薫り発生の際の嗅覚効果を高めようとするものである。
【発明の効果】
【０００６】
本発明の薫り発生ＰＣシステムは、薫り選択機能と薫り発生指示機能とをプログラミングし、選択された薫りを発生させるための出力装置に、複数の薫りエキスを収納し、所定の機能構成がなされる薫り発生器を設けることで、ＰＣユーザーの操作環境において、ディスプレイに表示される画像とのハーモニー効果のみならず、ユーザーが好みの薫りを選択し発生可能とする機能を有することにより、該操作環境におけるさまざまなストレスを緩和させリラックスさせることができ、更にこれによるアロマテラピー効果も大いに期待できる。
【０００７】
請求項２の薫り発生器が、薫り発生器内に設けられる複数のセルそれぞれに収納する薫りエキスの封入手段に、膜に選択的な透過性があり条件に対応し内包物放出特性を有するマイクロカプセルを採用し、選択され発生指示された薫りエキス封入のマイクロカプセル収納セルを選択する選択機能及び薫りエキス放出条件機能を該薫り発生器内に構成し備えたことは、出力装置として機能的に大いに優れている。
【０００８】
請求項３のマイクロカプセルの収納セルに代わり、セル自体に薫りエキスを封入し、その薫りエキス放出部が、条件に応じて内包物を放出させるマイクロカプセルと同質の高分子化合物で被膜される薫りエキス封入セルを複数構成可能とするカートリッジを用い、選択され発生指示された薫りエキス封入セルを選択する選択機能及び薫り放出条件機能をカートリッジとこれを装着する薫り発生器内に構成し備えたことは、出力装置として薫りエキスにおける種類別の封入及び交換機能などの機能構成に大いに優れている。
【０００９】
請求項４の薫り発生器が、マイクロカプセル又はカートリッジを収納又は交換するための開閉機構を有する薫り口を設け、かつ、ディスプレイ又はキイボードの所定箇所に取り付け可能としたことは、ＰＣ操作時のユーザーに所望とする効果的な薫り環境醸成に大いに役立つ。
【発明を実施するための最良の形態】
【００１０】
ＰＣ操作時に所望の薫り環境を創出し、ストレスなどを緩和するアロマテラピー的な癒しを提供するという目的を、薫り選択機能と薫り発生指示機能をプログラミングし、出力装置に複数種の薫りエキスを収納又は封入可能とし、選択され発生指示された所望の薫りを発生させることのできる機能を構成する薫り発生器から成るＰＣシステムを実現した。
【実施例１】
【００１１】
薫りエキスの封入に、膜に選択的な透過性があり条件に応じて内包物を放出させるマイクロカプセル又は放出部を設けるカートリッジを採用し、その条件の一つである一定温度に加熱機能手段を出力装置に設定した本発明の一実施例で、図１は該薫り発生ＰＣシステムの一実施例における関係を示す説明図で、図２は薫り発生器を取り付けたキイボードの説明図、図３は薫り発生器の説明図である。
【００１２】
本発明の主体はプログラミングされた薫り選択機能と薫り発生指示機能の入力により出力する薫り発生装置系の実装方法にあるので、ＰＣシステムのソフト、ハードに関わる電子及び機構系の説明は省略する。
以下図面に基づいて詳細に説明する。
【００１３】
本発明のＰＣシステムは、図１に示されるようにＰＣ本体１とディスプレイ２、キイボード３及びＵＳＢケーブル５を介して出力装置である薫り発生器４で構成される。
【００１４】
出力装置の薫り発生器４は、ＵＳＢケーブル５を介してＰＣ本体１に連結され、小型のケース状で上部に薫り口４’を構成する開閉可能の蓋部を設け、所要とする薫りエキス封入容器を収納又は交換自在としている。
薫り発生器４は、選択され発生指示された所要の薫りを発生させるため、薫り発生器内に複数種類別に設けるセルのそれぞれに収納する薫りエキスの封入に、膜に選択的な透過性があり条件に応じて内包物を放出する特性をもつマイクロカプセルを用い、選択され発生指示された薫りエキスの封入マイクロカプセルの収納セルを選び出す選択機能と、該収納セル内のマイクロカプセルが封入する薫りエキスを放出するための条件における一つとして一定の温度に加熱するという手段を採用し、選択外のマイクロカプセル収納セル又は収納セル内におけるマイクロカプセル特性に干渉し影響させることのないように、前述の収納セル選択機能と一定温度に加熱可能とする手段が共に薫り発生器４内に機能構成されている。
マイクロカプセルに代わる薫りエキスの封入容器に、セル自体に薫りエキスを封入可能とし、封入される薫りエキスの放出を条件に応じて内包物を放出させるマイクロカプセルと同質の高分子化合物で被膜する放出部を構成し、このような薫りエキス封入セルを複数構成するカートリッジを用い、該カートリッジを薫り発生器４内に装着することで選択され発生指示された薫りエキス封入セルを該カートリッジ内から選び出す選択機能と、この薫りエキスを放出するための条件における一つとして一定の温度に加熱可能とする手段を採用することで薫りエキス封入セルの放出部に作用できるようにし、選択外の薫りエキス封入セル及び該封入セルにおけるそれぞれの放出部の被膜特性に干渉し影響させることのないようにし、前述の封入セル選択機能と一定温度に加熱可能とする手段とがカートリッジとカートリッジを装着する薫り発生器４内に機能構成されるようになされている。
なお、該薫り発生器４をディスプレイ２の下部付近又はキイボード３の縁部などに取り付け可能とし、薫り発生の際、該ユーザーの近辺に配置することで更に嗅覚による体感を高め、ユーザーにおける薫り効果の向上を計ったものである。
【産業上の利用可能性】
【００１５】
ＰＣにおけるさまざまなストレス要因となる操作環境において、視聴覚では味わうことのできない嗅覚によるリラックス感が、発生される薫り雰囲気により得られることから、職場のみならず家庭など各分野におけるストレス解消や神経の鎮静を目的とするアロマテラピー療法としての用途に適用できる。
【図面の簡単な説明】
【００１６】
【図１】本発明の薫り発生ＰＣシステムの一実施例の形態を示す説明図である。（実施例１）
【図２】薫り発生器４をキイボード３に取り付けた使用状態を示す説明図である。（実施例２）
【図３】薫り発生器４の説明図である。
【符号の説明】
【００１７】
１    ＰＣ本体
２    ディスプレイ
３    キイボード
４    薫り発生器
４’  薫り口
５    ＵＳＢケーブル
【図１】
2006221246.tif 000003
【図２】
2006221246.tif 000004
【図３】
2006221246.tif 000005